(57)【特許請求の範囲】
【請求項１】
谷部の両側端に一定幅の水平な山部を設けていると共にこれらの山部の側端縁に上方に向かって屈曲してなる起立片をそれぞれ形成し、且つ一方の起立片の上端に大形屈折片部を、他方の起立片の上端に該大形屈折片部の下方に内包される大きさの小形屈折片部を形成してなる合成樹脂製馳式折版屋根材同士の接続構造であって、一方の馳式折版屋根材の小形屈折片部を吊子の上端屈曲部に内包させると共に他方の馳式折版屋根材の大形屈折片部を該吊子に被覆させて吊子の先端がこれらの小形屈折片部と大形屈折片部との先端よりも外側に位置させてあり、さらに、下向き開口の金属製キャップの一半部を上記大形屈折片部の外面に被覆させる一方、該金属製キャップの他半部を上記大形屈折片部の先端を変形させることなく大小屈折片部と吊子との先端部を内包する方向に圧締してなることを特徴とする馳式折版屋根材の接続構造。
【請求項２】
谷部の両側端に一定幅の水平な山部を設けていると共にこれらの山部の側端縁に上方に向かって屈曲してなる起立片をそれぞれ形成し、且つ一方の起立片の上端に大形屈折片部を、他方の起立片の上端に該大形屈折片部の下方に内包される大きさの小形屈折片部を形成してなる合成樹脂製馳式折版屋根材と金属製馳式折版屋根材との接続構造であって、金属製馳式折版屋根材の小形屈折片部を吊子の上端屈曲部に内包させると共に合成樹脂製馳式折版屋根材の大形屈折片部を該吊子に被覆させて吊子の先端が該大形屈折片部の先端よりも外側に位置させてあり、さらに、下向き開口の金属製キャップの一半部を上記大形屈折片部の外面に被覆させる一方、該金属製キャップの他半部を上記大形屈折片部の先端を変形させることなく大小屈折片部と吊子との先端部を内包する方向に圧締してなることを特徴とする馳式折版屋根材の接続構造。
【請求項３】
下向き開口の金属製キャップにおける上記他半部と、該他半部によって被覆された大小屈折片部及び吊子の先端部との間にパッキンを介在させていることを特徴とする請求項１又は請求項２に記載の馳式折版屋根材の接続構造。
【発明の詳細な説明】
【０００１】
【発明の属する技術分野】
本発明は、ボルトを使用することなく合成樹脂製馳式折版屋根材同士、又は、合成樹脂製馳式折版屋根材と金属製馳式折版屋根材とを接続した接続構造に関するものである。
【０００２】
【従来の技術】
従来から、折版屋根に採光を行うための天窓部分を設ける場合、該天窓部分に採光性を有する透明又は半透明のポリカーボネート製の折版屋根材を取付けることが行われている。この場合、谷部の側端部に形成している山部同士が密接状態で重合可能な折版屋根材においては、その重合部の天壁面間をボルトによって一体的に結合しているが、このような接続構造ではボルト孔から雨水が浸入する虞れがあるばかりでなく、ボルトが腐食して長期の使用に供することができないという問題点がある。
【０００３】
このため、図11に示すように、谷部41の上端縁に外側方に向かって水平に屈曲した一定幅の山部42、43を形成していると共に、一方の山部42の突出端に上方に向かって屈曲した垂直脚片部44とこの垂直脚片部44の上端に下向きに開口46した断面Ｃ字状の屈曲縁部45を形成し、他方の山部43の水平突出端に上方に屈曲した一定高さの垂直な起立縁部47を形成してなるポリカーボネート製折版屋根材40が開発されている。
【０００４】
そして、これらの折版屋根材40、40同士を接続するには、図12に示すように、吊子31の屈曲部32に一方の折版屋根材40の屈曲縁部45を被嵌させると共に他方の馳式折版屋根材40の起立縁部47を吊子31の上端屈曲部32に内包させたのち、下向き開口の断面Ｃ字状金属製キャップ51を被せ、手動馳折り装置又は自走馳折り装置を用いて該金属製キャップ51を圧締めすることにより接続されている。
【０００５】
【発明が解決しようとする課題】
しかしながら、手動馳折り装置又は自走馳折り装置によって圧締めした時に、ポリカーボネート製馳式折版屋根材の屈曲縁部45が吊子の先端で、接触部分を支点として内側方に冷間状態で屈曲変形させられるために、この屈曲部分に集中荷重による大きな残留内部応力の発生によりクラック等が生じて長期間の使用に耐えられなくなる虞れがあった。
【０００６】
また、ポリカーボネート製馳式折版屋根材40の屈曲縁部45は形状保持力に乏しいために、この馳式折版屋根材40に雪や風圧等による正や負の圧力が作用するとその屈曲縁部45による固定力が緩められて吊子から離脱する場合が生じる。これを防止するために、上述したように、該屈曲縁部45を下向き開口の断面Ｃ字状金属キャップ51により被覆したのち該キャップ51を馳折り装置によって圧締めすることにより、この金属製キャップ51の保持力で屈曲縁部45の変形形状を保持させているが、該金属製キャップ51を圧締めする際においても、金属キャップ51が屈曲縁部45に圧着して屈曲縁部45を更に変形させ、その屈曲縁部45に集中荷重による残留内部応力を発生させ、上記同様に、長期の使用に耐えられなくなる虞れがあった。その上、金属製キャップ51と馳式折版屋根材40の屈曲縁部45とを一体的に圧締めするものであるから、従来の馳折り装置では能力不足となって精度のよい確実な圧締加工が行えない場合が生じるという問題点があった。
【０００７】
本発明はこのような問題点に鑑みてなされたもので、その目的とするところは内部に集中的な残留応力を生じさせることなく互いの接続を可能にし得る馳式折版屋根材の接続構造を提供するにある。
【０００８】
【課題を解決するための手段】
上記目的を達成するために、請求項１に係る発明は、合成樹脂製馳式折版屋根材同士の接続構造であって、一方の馳式折版屋根材の小形屈折片部を吊子の上端屈曲部に内包させると共に他方の馳式折版屋根材の大形屈折片部を該吊子に被覆させて吊子の先端がこれらの小形屈折片部と大形屈折片部との先端よりも外側に位置させてあり、さらに、下向き開口の金属製キャップの一半部を上記大形屈折片部の外面に被覆させる一方、該金属製キャップの他半部を上記大形屈折片部の先端を変形させることなく大小屈折片部と吊子との先端部を内包する方向に圧締してなる構造を有している。
【０００９】
請求項２に係る発明は上記合成樹脂製馳式折版屋根材と金属製馳式折版屋根材との接続構造であって、金属製馳式折版屋根材の小形屈折片部を吊子の上端屈曲部に内包させると共に合成樹脂製馳式折版屋根材の大形屈折片部を該吊子に被覆させて吊子の先端が該大形屈折片部の先端よりも外側に位置させてあり、さらに、下向き開口の金属製キャップの一半部を上記大形屈折片部の外面に被覆させる一方、該金属製キャップの他半部を上記大形屈折片部の先端を変形させることなく大小屈折片部と吊子との先端部を内包する方向に圧締してなる構造を有している。
【００１０】
上記請求項１又は請求項２に記載の馳式折版屋根材同士の接続構造において、請求項３に係る発明は、下向き開口の金属製キャップにおける上記他半部と、該他半部によって被覆された大小屈折片部及び吊子の先端部との間にパッキンを介在させていることを特徴としている。
【００１１】
【作用】
上記合成樹脂製馳式折版屋根材同士の接続構造、又は、合成樹脂製馳式折版屋根材と金属製馳式折版屋根材との接続構造は、合成樹脂製馳式折版屋根材又は金属製馳式折版屋根材の小形屈折片部を吊子の上端屈曲部に内包させると共に合成樹脂製馳式折版屋根材の大形屈折片部を該吊子に被覆させて吊子の先端が該大形屈折片部の先端よりも外側に位置させてあり、さらに、下向き開口の金属製キャップの一半部を上記大形屈折片部の外面に被覆させる一方、該金属製キャップの他半部を上記大形屈折片部の先端を変形させることなく大小屈折片部と吊子との先端部を内包する方向に圧締してなるものであるから、金属製キャップのみを圧締めすることにより馳式折版屋根材同士の接続が可能となり、手動馳折り装置又は自走馳折り装置に必要以上の大きな圧締力を要求することなく簡単にして効率よく確実な接続が行えると共に金属製キャップの圧締時には大形屈折片部に局部的な集中荷重が作用することなく、従って、大きな残留応力が生じる虞れもなく、長期の使用に供することができる。
【００１２】
【発明の実施の形態】
次に本発明の具体的な実施の形態を図面に基づいて説明する。図１は、合成樹脂製馳式折版屋根材Ａの正面図であって、一定幅を有する底板部の両側縁に斜め外側方に向かって傾斜板部を屈曲形成してなる谷部１を有すると共に両傾斜板部の上端縁を外側方に向かって水平に屈曲させて一定幅の山部２、３を形成している。さらに、これらの山部２、３の水平突出側端縁に上方に屈曲した一定高さの垂直な起立片４、５を形成していると共に、一方の山部２の起立片４の上端に半円弧状に屈曲した屈曲部6aを介して先端部を水平状部6bに形成してなる大形屈折片部６を形成してあり、他方の山部３の起立片５の上端に、上記大形屈折片部６の屈曲部6aよりも一回り小さい円弧状屈曲部7aを介して先端部を水平状部7bに形成してなる小形屈折片部７を形成している。
【００１３】
なお、図１に示した１つの谷部を有する谷部の構造に代えて、例えば谷部の底板部の側縁に斜め外側方に向かって屈曲形成した傾斜板部の上端縁に形成している外側方に向かって水平に屈曲形成してなる一定幅の山部を介して二つもしくはそれ以上の谷部が連続してなる複数の谷部を有する上記形態の合成樹脂製馳式折版屋根材を必要に応じて適用してもよい。
【００１４】
上記一方の山部２の大形屈折片部６における半円形状の屈曲部6aは外側に向かって水平方向に開口している一方、他方の山部３の小形屈折片部７における円弧状屈曲部7aは内側（谷部側）に向かって水平方向に開口してあり、この小形屈折片部７は後述する吊子９の上端部の屈曲部内に面接触状態で沿う断面形状を有している。なお、小形屈折片部７の断面形状は、大きな残留応力を生じる虞れがなく、吊子の屈曲部に内包可能な形状に形成されて、吊子から剥脱されないものであれば上記或いは後述する小形屈折片部7'の断面形状に限定されるものでなく、また、必ずしも面接触状態でなくてもよい。
【００１５】
このように形成した馳式折版屋根材Ａは合成樹脂製屋根材としてポリカーボネート樹脂の成形品が広く使用されているであるが、ポリカーボネート樹脂以外の合成樹脂、例えば、アクリル樹脂、塩化ビニル樹脂、或いはその他の共重合体樹脂、変性樹脂より成形されたものであってもよい。
【００１６】
上記合成樹脂製馳式折版屋根材Ａは透明ないしは半透明であって、天窓などの採光材として使用される。例えば、図２に示すように鉄板などの金属製折版屋根材Ｂを複数列、組み合わせ接続してなる折版屋根において、その屋根の一部を切欠いて矩形状の開口部を設け、この開口部に該合成樹脂製馳式折版屋根材Ａを張設することによって採光用天窓が形成される。
【００１７】
複数枚の合成樹脂製馳式折版屋根材Ａを順次接続することにより大面積の採光用天窓を構成した場合における隣接する馳式折版屋根材Ａ、Ａ同士は次のような接続構造を有している。即ち、図３に示すように、受梁10（図２に示す）上のタイトフレーム11にその下端水平板部をボルトによって固定された吊子９を介して一方の馳式折版屋根材Ａの起立片５及び小形屈折片部７と、他方の馳式折版屋根材Ａの起立片４及び大形屈折片部６とを面接触状態で重ね合わせられている。
【００１８】
吊子９は起立片部9aと、この起立片部9aの上端に円弧状に屈曲し且つ先端部を水平状部9cに形成してなる屈曲部9bとを備えた断面形状を有した長尺体であり、この吊子９の長手方向に間隔を有して設けられている複数の受梁10上のそれぞれのタイトフレーム11にこの吊子９の下端水平板部をボルトによって固定されている。この起立片部9aの両側面に隣接する馳式折版屋根材Ａ、Ａの起立片４、５をそれぞれ密接させていると共に一方の馳式折版屋根材Ａの起立片５の上端に形成した小形屈折片部７を吊子９の上記屈曲部9bの内面に密接させた状態で内包させてあり、他方の馳式折版屋根材Ａの起立片４の上端に形成した円弧状屈曲部6aを吊子９の屈曲部9bの外面に密接させた状態で被覆し且つ水平状部片部６の先端水平状部6bを吊子９の水平状部9c上に重合状態で密接させている。
【００１９】
また、この実施形態の重合状態においては、吊子９の水平状部9cの先端が馳式折版屋根材Ａ、Ａの小形屈折片部７及び大形屈折片部６のそれぞれの水平状部の先端よりも外側に位置している。なお、この実施形態においては、吊子９の外面に隣接する馳式折版屋根材Ａを密接させた状態であるが、該吊子９と隙間を有した状態で配設されていてもよく、要するに吊子９を該馳式折版屋根材Ａの大形屈折片部６によって被覆した状態であればよい。また、吊子９の内面に隣接する馳式折版屋根材Ａについては、前述した通りであり、必ずしも密接させた状態でなくてもよいことは同様である。
【００２０】
さらに、下向き開口の断面Ｃ字状金属製キャップ12を吊子９を介して互いに重合させてなる馳式折版屋根材Ａ、Ａの大小形屈折片部６、７に被嵌して該金属製キャップ12の開口部の圧締めにより馳式折版屋根材Ａ、Ａ同士の接続構造を構成している。
【００２１】
金属製キャップ12はその一半部12a を馳式折版屋根材Ａの大形屈折片部６の外面と同一形状、即ち、大形屈折片部６の屈曲部6aから水平状部6bと同一形状の湾曲部に形成されていて大形屈折片部６の外面に面接触状態に被着していると共に該一半部12a の下端垂直部12c を馳式折版屋根材Ａの起立片４に重ね合わせている。また、この金属製キャップ12の他半部12b は断面Ｓ字状に湾曲変形した形状を有し、その上半部は吊子９の水平状部9cの先端及び該水平状部9cの上下面に密接した馳式折版屋根材Ａ、Ａの大小形屈折片部６、７の水平状先端部とに接することなくこれらの先端部を内包するように湾曲していると共に下半部は吊子９の屈曲部9bの開口方向に屈曲、変形して馳式折版屋根材Ａの小形屈折片部７の起立片上端に近接、又は接した湾曲部を形成し、該金属製キャップ12の下端開口部の開口幅を狭めてこの金属製キャップ12により吊子９を介して重合した馳式折版屋根材Ａ、Ａの大小形屈折片部６、７を抱持した構造を有している。なお、上記金属製キャップ12の一半部12a についても、上記馳式折版屋根材Ａの大形屈折片部６の外面との被着は両者の面に隙間を有していてもよい。また、金属製キャップ12の他半部12b は、馳式折版屋根材Ａ、Ａの接続部が金属製キャップ12から剥脱しないように、吊子９を介した馳式折版屋根材の大小形屈折部６、７との間隔を適宜選択すればよい。ただ、勿論、密着させてもよいが、逆に密着させすぎると、合成樹脂の伸縮性による変形を吸収しにくくなるとも言えなくはない。
【００２２】
このような馳式折版屋根材Ａ、Ａ同士の接続構造の施工方法は、図４に示すように、吊子９の起立片部9aの内面に一方の馳式折版屋根材Ａの起立片５を重合状態に密接させると共に吊子９の屈曲部9bの内面に小形屈折片部７を嵌め込んで面接触状態に重ね合わせ、さらに、他方の馳式折版屋根材Ａの起立片４を吊子９の起立片部9aの外面に重合状態で密接させると共に大形屈折片部６を吊子９の屈曲部9bの外面に面接触させた状態となるように被せることにより、吊子９の内外に馳式折版屋根材Ａ、Ａの対向端部を接合させる。
【００２３】
しかるのち、一半部12a が馳式折版屋根材Ａの大形屈折片部６の外面と同一形状に形成され、他半部12b が一半部12a の上端水平部と連設した湾曲部12d を介して下方に垂下した垂直片部12e と該垂直片部12e から外側方に水平に湾曲した水平片部12f とからなる金属製キャップ12を上記のように接合している吊子９と馳式折版屋根材Ａ、Ａとの端部に被せる。
【００２４】
この際、金属製キャップ12の一半部12a の下端垂直部12c と他半部12b の垂直片部12e の下端との間の開口部を下向きにして下方に移動させることにより、吊子９と馳式折版屋根材Ａ、Ａとの接合端部を開口部から内部に挿入し、一半部12a の内面を吊子９の外面に重ね合わせている馳式折版屋根材Ａの起立片４から大形屈折片部６の外面に密接させた状態にする。
【００２５】
次いで、手動馳折り装置又は自走馳折り装置（図示せず）を用いて金属製キャップ12の他半部12b を吊子９の内面に接合した馳式折版屋根材Ａの起立片５に向かって該金属製キャップ12の開口幅が狭まる方向に圧締めし、湾曲部12d から垂直片部12e にかけて湾曲変形させることによりその湾曲変形部で上記吊子９及び大小形屈折片部６、７の水平状部の先端を変形させることなく内包すると共に他半部12b の下半部を吊子９の内面に接合している馳式折版屋根材Ａの小形屈折片部７の起立片上端に近接、又は接した状態となるように変形させることにより、ボルトを使用することなく、この金属製キャップ12によって隣接する馳式折版屋根材Ａ、Ａ同士を吊子９を介して接続させた構造としている。
【００２６】
また、この構造において、上記吊子９の外面に隣接する一方の上記馳式折版屋根材Ａの起立片４と大形屈折片部６及び該吊子９の内面に隣接する他方の上記馳式折版屋根材Ａの起立片５と小形屈折片部７が密接若しくは実質的に面接触している場合、金属製キャップ12の圧締力は、長尺である上記吊子９に隣接する内外面の上記馳式折版屋根材Ａの面を介して該吊子９によって受け止められるので、馳式折版屋根材Ａ、Ａが変形することはない。なお、小形屈折片部７はその先端部を必要に応じて下方に屈曲させて雨仕舞い効果を発揮させるように形成しておいてもよい。
【００２７】
図５は本発明の合成樹脂製馳式折版屋根材の別な構造を示すもので、上記馳式折版屋根材Ａにおいては、起立片４、５の上端に連設してなる屈折片部６、７を半円形状ないしは円弧状屈曲部6a、7aを介して水平状部6b、7bにそれぞれ形成したが、この実施例の馳式折版屋根材A'においては円弧状屈曲部を形成することなく、谷部１の両側上端部に形成した一定幅の山部２、３の水平突出側端縁に上方に屈曲してなる起立片４、５から直接これらの起立片４、５に対して直角方向に屈折した屈折片部6'、7'にそれぞれ形成してなるものである。そして、上記一方の起立片４から直角に屈折してなる屈折片部6'を他方の起立片５から直角に屈折してなる屈折片部７' よりも幅広い大形屈折片部とし、他方の屈折片部７' を小形屈折片部としている。その他の構造については上記実施例と同一であるので、同一部分に同一符号を付してその説明を省略する。
【００２８】
このように構成した合成樹脂製馳式折版屋根材A'、A'同士の接続構造は、図６に示すように、受梁（図示せず）上のタイトフレーム11にその下端水平板部をボルトによって固定された前述と同様な長尺の吊子９を介して一方の馳式折版屋根材A'の起立片５及び小形屈折片部7'と、他方の馳式折版屋根材A'の起立片４及び大形屈折片部6'とを面接触状態で重ね合わせられている。
【００２９】
吊子９は起立片部9aの上端に該起立片部9aに対して上記屈折片部6'、7'と同一水平方向に屈折した水平屈折片部9cに形成されおり、この吊子９の起立片部9aの両側面に隣接する馳式折版屋根材A'、A'の起立片４、５をそれぞれ密接させていると共に一方の馳式折版屋根材A'の小形屈折片部7'の上面を吊子９の水平屈折片部9cの下面に密接させ、他方の馳式折版屋根材A'の大形屈折片部6'の下面を吊子９の水平屈折片部9cの上面に密接状態で重ね合わせている。
【００３０】
さらに、吊子９を介して互いに重合させてなる馳式折版屋根材A'、A'の大小形屈折片部6'、7'に下向き開口の金属製キャップ12' を被嵌して該金属製キャップ12' の開口部の圧締めにより馳式折版屋根材A'、A'同士の接続構造を構成している。
【００３１】
金属製キャップ12' はその一半部12a'を馳式折版屋根材A'の水平状大形屈折片部6'から垂直な起立片４にかけて被覆し得る水平天壁片部121 と垂直脚片部122 とからなる断面逆Ｌ字状に形成し、他半部12b'を該一半部12a'の水平天壁片部121 の端縁から下方に向かって直角に屈曲した垂直上脚片部123 とこの垂直上脚片部123 の下端から内方に屈折してなる下脚片部124 とからなり、上記水平天壁板部121 の幅を吊子９の水平屈折片部9cや馳式折版屋根材A'の大小形屈折片部6'、7'の幅よりも僅かに大きく形成していると共に垂直上脚片部123 の内側の縦幅を吊子９の水平屈折片部9cと馳式折版屋根材A'、A'の大小形屈折片部6'、7'との重合厚みよりも等しいか或いは僅かに大きく形成し、さらに、上記下脚片部124 の幅を馳式折版屋根材A'の小形屈折片部7'の横幅よりもやゝ短く形成している。
【００３２】
上記馳式折版屋根材A'、A'同士の接続構造の施工方法は、図７に示すように、吊子９の起立片部9aの内外両側面とその上端の水平屈折片部9cの上下面とに、隣接する馳式折版屋根材A'、A'の起立片４、５と大小形屈折片部6'、7'とをそれぞれ面接触状態に重ね合わせ、しかるのち、上記上記金属製キャップ12' をその一半部12a'の水平天壁片部121 と垂直脚片部122 を馳式折版屋根材A'の大形屈折片部6'から起立片４にかけて被せて接合させると共に他半部12b'の垂直上脚片部123 を吊子９の水平屈折片部9cと馳式折版屋根材A'、A'の大小形屈折片部6'、7'との先端面から小間隔を存して対向させた状態にする。
【００３３】
次いで、手動馳折り装置又は自走馳折り装置（図示せず）を用いて金属製キャップ12' の他半部12b'における下脚片部124 を内方に屈折させて一方の馳式折版屋根材A'の小形屈折片部7'の下面に近接又は接した状態となるように変形させることにより、ボルトを使用することなくこの金属製キャップ12' によって隣接する馳式折版屋根材A'、A'同士を吊子９を介して接続させた構造としている。
【００３４】
この構造によれば、合成樹脂製馳式折版屋根材A'や吊子９、及び金属製キャップ12' は屈曲部を有することなく角形に形成されているので、構造が簡単で精度のよい馳式折版屋根材A'を作製し得ると共に圧締め作業も容易に且つ精度良く行えるという利点を有する。また、前述の馳式折版屋根材Ａ、Ａ同士を吊子９を介して密接若しくは実質的に面接触させている場合の構造と同様に、金属製キャップ12' の圧締力は長尺である吊子９の内外両側面の馳式折版屋根材A'、A'の面を介して該吊子９によって受け止められるので、該馳式折版屋根材A'、A'が変形することはない。なお、上記下脚片部124 の内面側において断面肉厚を該下脚片部124 の内方への屈折作業を容易にするために、必要に応じて上記垂直上脚片部123 より薄肉に構成してもよい。
【００３５】
なお、以上の実施例においては、金属製キャップを直接、吊子に接合した馳式折版屋根材の起立片から大小形屈折片部を被覆するように圧締めしたが、金属製キャップをパッキンを介して圧締めした馳式折版屋根材同士の接続構造としてもよい。即ち、図８、図９に示すように一定幅を有する帯状のパッキン13を馳式折版屋根材Ａ又はA'の大形屈折片部６又は6'におけるおよそ上面半部分から吊子９の先端面と大小形屈折片部６、７又は6'、7'の先端面を介して小形屈折片部７又は7'の下面に到る部分を被覆させ、このパッキン13を介して金属製キャップ12又は12' を上記同様にして圧締めした構造としている。勿論、上記パッキン13を馳式折版屋根材Ａ又はA'の大形屈折片部６又は6'の上面半部分からのみでなく上面全部分から被覆させてもよい。
【００３６】
このような接続構造を形成するには、上記の施工方法において、吊子を介して互いに重合させてなる馳式折版屋根材の大小形屈折片部に金属製キャップを被嵌する際に、パッキン13の一部を大形屈折片部のおよそ上面半部分上に添設しておき、この状態でパッキン13を吊子を介して互いに重合してなる馳式折版屋根材の大小形屈折片部に金属製キャップを被せることによりこの金属製キャップの内面に沿ってパッキン13を変形させると共に、手動馳折り装置又は自走馳折り装置による金属製キャップの圧締時に金属製キャップと一体的に屈曲させてこの金属製キャップと馳式折版屋根材の大形屈折片部におけるおよそ上面半部分から吊子の先端面と大小形屈折片部の先端面を介して小形屈折片部の下面に到る部分との間に介在させることにより形成される。
【００３７】
合成樹脂製馳式折版屋根材Ａと上記金属製馳式折版屋根材Ｂとの接続構造は、図２、図10に示すような構造となっている。即ち、金属製馳式折版屋根材Ｂは合成樹脂製馳式折版屋根材Ａと同じく、谷部21の両側端に一定幅の水平な山部22、23を設けていると共にこれらの山部22、23の側端縁に上方に向かって屈曲してなる起立片24、25をそれぞれ形成し、且つ一方の起立片24の上端に大形屈折片部26を、他方の起立片25の上端に該大形屈折片部26の下方に内包される大きさの小形屈折片部27を形成してなるもので、この金属製馳式折版屋根材Ｂの小形屈折片部27を短尺の吊子9'に内包させると共に該吊子9'を合成樹脂製馳式折版屋根材Ａの大形屈折片部６で被覆し、この上から金属製キャップ12を被せて馳折り装置により合成樹脂製馳式折版屋根材Ａの大形屈折片部６を変形させることなく圧締めしてなるものである。なお、上記合成樹脂製馳式折版屋根材Ａの大形屈折片部６とこの大形屈折片部６を被覆した金属製キャップ12との間にパッキンを介在させておいてよい。
【００３８】
また、合成樹脂製馳式折版屋根材Ａの小形屈折片部７と金属製馳式折版屋根材Ｂの大形屈折片部26との接続構造は、長尺吊子９に合成樹脂製馳式折版屋根材Ａの小形屈折片部７を内包させると共にこの吊子９に金属製馳式折版屋根材Ｂの大形屈折片部26を被せて金属製キャップを用いることなく該大形屈折片部26を馳折り装置により圧締めしてなる構造としている。
【００３９】
【発明の効果】
以上のように本発明の馳式折版屋根材の接続構造によれば、一方の馳式折版屋根材の小形屈折片部を吊子の上端屈曲部に内包させると共に上記吊子の外面に沿って他方の馳式折版屋根材の大形屈折片部の内面を重ね合わせ、吊子の先端が該大形屈折片部の先端よりも外側に位置させた状態にして、下向き開口の金属製キャップの一半部を上記大形屈折片部に被覆させ、この金属製キャップの他半部を、上記大形屈折片部の先端を変形させることなく大小屈折片部と吊子との先端部を内包する方向に圧締してなるものであるから、金属製キャップのみを圧締めすることにより馳式折版屋根材同士の接続が可能となり、手動馳折り装置又は自走馳折り装置に必要以上の大きな圧締力を要求することなく簡単にして効率よく確実な接続が行えると共に金属製キャップの圧締時には大形屈折片部に局部的な集中荷重が作用することなく、従って、大きな残留応力が生じる虞れもなく、長期の使用に耐えることができる馳式折版屋根構造を構築することができるものである。
【００４０】
さらに、請求項４に係る発明によれば、下向き開口の金属製キャップにおける上記他半部と、該他半部によって被覆された大小屈折片部及び吊子の先端部との間にパッキンを介在させているので、パッキンによって雨水の浸入を確実に防止した接続構造を得ることができるばかりでなく、パッキンを介して金属製キャップと大小屈折片部及び吊子先端部との接触が均一な面接触構造にすることができて、精度のよい強度的にも優れた馳式折版屋根構造を提供できる。
【図面の簡単な説明】
【図１】  合成樹脂製折版屋根材の正面図、
【図２】  採光用天窓部分の簡略縦断正面図、
【図３】  合成樹脂製折版屋根材同士の接続構造を示す縦断正面図、
【図４】  その接続方法を説明するための縦断正面図、
【図５】  合成樹脂製折版屋根材の別な実施例を示す正面図、
【図６】  合成樹脂製折版屋根材同士の接続構造を示す縦断正面図、
【図７】  その接続方法を説明するための縦断正面図、
【図８】  図３におけるパッキンを介在させている接続構造を示す縦断正面図、
【図９】  図６におけるパッキンを介在させている接続構造を示す縦断正面図、
【図１０】  金属製折版屋根材と合成樹脂製折版屋根材との接続構造を示す縦断正面図、
【図１１】  従来例を示す合成樹脂製折版屋根材の正面図、
【図１２】  その接続構造を示す簡略縦断正面図。
【符号の説明】
１  谷部
２、３  山部
４、５  起立片
６、７  大小形屈折片部
6a、7a  屈曲部
6b、7b  水平状部
９  吊子
12  金属製キャップ
【図１】
0003718593.tif 000002
【図３】
0003718593.tif 000003
【図２】
0003718593.tif 000004
【図４】
0003718593.tif 000005
【図５】
0003718593.tif 000006
【図６】
0003718593.tif 000007
【図７】
0003718593.tif 000008
【図８】
0003718593.tif 000009
【図９】
0003718593.tif 000010
【図１０】
0003718593.tif 000011
【図１１】
0003718593.tif 000012
【図１２】
0003718593.tif 000013